(57)【要約】【課題】規制対象となっている電話番号への発信を確実に規制することができる発信規制装置を提供することを課題とする。【解決手段】第１電話機１０と接続されており、該第１電話機１０から第２電話機４０へ発信する際に該第１電話機１０の電話番号を読取可能な発信規制装置２０であって、前記第２電話機４０から発信される第２電話機４０の電話番号を通信回線によって受け付け可能な入力部２３と、該入力部２３から受け付けた電話番号を記憶する記憶部２４と、前記第１電話機１０から発信された該第１電話機１０の電話番号と、前記記憶部２４に記憶の電話番号との照合を行い、その照合が一致すると、第１電話機１０から第２電話機４０への発信を規制する規制部２５とを備えている。【選択図】  図１
2007074513.tif 000002
【特許請求の範囲】
【請求項１】
第１電話機と接続されており、該第１電話機から第２電話機へ発信する際に該第１電話機の電話番号を読取可能な発信規制装置であって、
前記第２電話機から発信される第２電話機の電話番号を通信回線によって受け付け可能な入力部と、
該入力部から受け付けた電話番号を記憶する記憶部と、
前記第１電話機から発信された該第１電話機の電話番号と、前記記憶部に記憶の電話番号との照合を行い、その照合が一致すると、第１電話機から第２電話機への発信を規制する規制部とを備えた発信規制装置。
【発明の詳細な説明】
【技術分野】
【０００１】
本発明は、発信規制装置に関し、詳しくは発信元電話機から発信先電話機への発信において、その発信を発信先電話機側から規制することができる発信規制装置に関する。
【背景技術】
【０００２】
この種の発信規制装置として、発信者側から特定の発信先への発信を規制することができる発信規制装置が既に知られている。この発信規制装置は、図３に示すように発信者側の電話機である発信元電話機と通信回線網との間に設けられており、発信元電話機から発信された相手先の電話番号を識別可能となっている。また、この発信規制装置は任意の電話番号を入力可能なキーボードと、このキーボードによって入力された電話番号を記憶する記憶部とを備えている。そして、発信者側から特定の相手先への発信を規制したい場合、発信者側は、その規制したい電話番号をキーボードから入力して発信規制装置へ記憶させる。すると、その入力された電話番号は、発信規制装置に記憶され、以降、発信元電話機から、その記憶された電話番号を発信しても、発信規制装置によってその発信は規制されることになる。
【０００３】
なお、この出願の発明に関連する先行技術文献情報としては、例えば、特許文献１が知られている。
【特許文献１】特開平５−１６７６７３号公報
【発明の開示】
【発明が解決しようとする課題】
【０００４】
しかしながら、上述した発信規制装置では、規制対象となる電話番号を発信規制装置へ記憶させる作業は、発信者側のキーボードによる入力作業によって実施されている。このようにキーボードによる入力作業は、発信者側にとって手間となり面倒な作業である。そのため、この入力作業が滞ることがあり、発信規制装置によってその電話番号への発信が規制されないために、規制対象の電話番号となっているにも関わらず、その電話番号へ発信可能となっていた。
【０００５】
本発明は、このような課題を解決しようとするもので、その目的は、規制対象となっている電話番号への発信を確実に規制することができる発信規制装置を提供することである。
【課題を解決するための手段】
【０００６】
本発明は、上記の目的を達成するためのものであって、以下のように構成されている。
請求項１に記載の発明は、第１電話機（発信元電話機）と接続されており、該第１電話機から第２電話機（発信先電話機）へ発信する際に該第１電話機の電話番号を読取可能な発信規制装置であって、前記第２電話機から発信される第２電話機の電話番号を通信回線によって受け付け可能な入力部と、該入力部から受け付けた電話番号を記憶する記憶部と、前記第１電話機から発信された該第１電話機の電話番号と、前記記憶部に記憶の電話番号との照合を行い、その照合が一致すると、第１電話機から第２電話機への発信を規制する規制部とを備えた構成である。
この構成によれば、第２電話機の電話番号を発信規制装置へ送信すると、以降、第１電話機から第２電話機への発信を規制することができる。従来であれば、発信元側に発信規制操作を依頼しなければいけないが、このように発信先側のみの操作によって発信規制が実施できるため、確実に発信を規制することができる。
【発明を実施するための最良の形態】
【０００７】
以下、本発明を実施するための最良の実施例を、図１〜２を用いて説明する。
図１は、本発明の発信規制装置２０を適用させた発信規制システムの構成図である。図２は、発信規制装置２０の動作を説明するフローチャートである。図１からも明らかなように、この発信規制システムは、発信元電話機１０と、発信規制装置２０と、電話網３０と、発信先電話機４０と、センタ５０と、ＩＰ網６０とから構成されている。なお、この「発信元電話機」と「発信先電話機」とが、特許請求の範囲に記載の「第１電話機」と「第２電話機」とに相当する。
【０００８】
発信元電話機１０は、例えば一般加入者電話機であり、電話網３０において他の電話機と識別可能な固有の電話番号（例えば、０５２−ａａａ−ｂｂｂｂ）が割り付けられている。また、発信先電話機４０も発信元電話機１０と同様に、一般加入者電話機であり、電話網３０において他の電話機と識別可能な固有の電話番号（例えば、０５２−ｃｃｃ−ｄｄｄｄ）が割り付けられている。これら各電話番号によって、例えば発信元電話機１０から発信先電話機４０に対して発信可能であり、また、逆に発信先電話機４０から発信元電話機１０に対して発信可能である。
【０００９】
発信規制装置２０は、発信元電話機１０と電話網３０とに接続されるように配置されている。この発信規制装置２０は、図１からも明らかなように、通信端子２１と、制御部２２と、入力部２３と、記憶部２４と規制部２５とを備えている。通信端子２１は、上述した発信元電話機１０と電話網３０とにそれぞれ接続可能な端子であり、発信元電話機１０から発信された電話番号はこの通信端子２１を経由して電話網３０へと送られる。
制御部２２は、通信端子２１を経由した電話番号を読み取り可能となっている。
【００１０】
入力部２３は、ＩＰ網６０と接続されており、ＩＰ網６０から送信される電話番号を受け付ける。そして、入力部２３から受け付けた電話番号は記憶部２４に記憶される。また記憶部２４には、制御部２２を動作させるプログラムも記憶されている。規制部２５は、制御部２２が発信元電話機１０の電話番号を読み取ると、その読み取った電話番号と記憶部２４に記憶の電話番号との照合を行い、その照合が一致すると、その電話番号への発信を規制する。
【００１１】
センタ５０は、例えばサーバであり、電話網３０において他の電話機と識別可能な固有の電話番号（例えば、０５２−ｅｅｅ−ｆｆｆｆ）が割り付けられている。そして、このセンタ５０は電話機からの発信を受けると、その発信元の電話機の電話番号を読み取ると共に、ＩＰ網６０を介してその読み取った電話番号を発信規制装置２０の入力部２３へ送信する。
【００１２】
続いて、図２を参照して、上記構成を有する発信規制装置２０の発信規制動作を説明する。なお、説明する例として、発信元電話機１０の使用者はある商品の営業マンであり、発信先電話機４０の使用者はその商品のユーザであり、営業マンは商品の購買を促す目的でユーザに対して電話をかけた際、ユーザは、以降、この営業マンからの電話の着信を拒否したい場合を例に説明する。
【００１３】
まず、発信元電話機１０の使用者は、発信元電話機１０から発信先電話機４０の電話番号を押下して発信先電話機４０へ発信する（Ｓ１００）。すると、発信規制装置２０の制御部２２によって発信先電話機４０の電話番号が読み取られ、さらに発信規制装置２０の規制部２５によってその読み取られた電話番号と記憶部２４に記憶されている電話番号との照合が実施される（Ｓ１０２）。この例の場合、発信先電話機４０の電話番号は、発信規制装置２０の記憶部２４に未だ記憶されていないため照合不一致となりＳ１０４へ進むことになる。
【００１４】
電話網３０を介して発信元電話機１０と発信先電話機４０との通信（営業マンとユーザとの通信）が成立する（Ｓ１０４）。この通信において、営業マンはユーザに対して商品の購買を促し、ユーザは購入の意思がないため、以降においてこの営業マンからの着信を拒否したい場合（Ｓ１０６において「Ｙｅｓ」の場合）、ユーザはこの営業マンからの着信を拒否できる電話番号を聞いて通信を終了させる（Ｓ１０８）。なお、この電話番号は、センタ５０の電話番号である。
【００１５】
ユーザは、発信先電話機４０からセンタ５０の電話番号を押下してセンタ５０へ発信する（Ｓ１１０）。電話網３０を介して発信先電話機４０とセンタ５０との通信（ユーザとセンタとの通信）が成立する（Ｓ１１２）。この通信において、センタ５０は発信先電話機４０の電話番号を受信するとともに、センタ５０は発信先電話機４０に対してメッセージを送信する（Ｓ１１４）。このメッセージとは、例えば「このセンタ５０の電話番号を聞いた時の通話先からの着信を以降拒否します」などである。そして、センタ５０はＩＰ網６０を介して発信先電話機４０の電話番号を発信規制装置２０の入力部２３へ送信する（Ｓ１１６）。
【００１６】
発信規制装置２０は、センタ５０から電話番号を受信すると、受信した電話番号を記憶部２４へ記憶させる（Ｓ１１８）。このようにして発信先電話機４０の電話番号は発信規制装置２０の記憶部に記憶される。すると、再度、発信元電話機１０の使用者が、発信元電話機１０から発信先電話機４０の電話番号を押下して発信先電話機４０へ発信した場合、ステップＳ１０２において、Ｎｏと判断されるため、発信規制装置２０によって発信元電話機１０から発信先電話機４０への発信が規制される（Ｓ１２０）。そして、発信規制装置２０は発信元電話機１０に対してメッセージを送信する（Ｓ１２２）。このメッセージとは、例えば「おかけになった電話番号への発信は規制されています」などである。
【００１７】
このようにして、ユーザは営業マンからの着信を一度は受けることになるが、以降、営業マンからの着信を規制する作業を自身でおこなうため、営業マンからの着信を確実に規制することができる。
【００１８】
上述した内容は、あくまでも本発明の一実施の形態に関するものであって、本発明が上記内容に限定されることを意味するものではない。
実施例では、発信元電話機１０と発信規制装置２０が別体構成である例を説明した。しかし、これに限定されるものでなく、発信元電話機１０と発信規制装置２０が一体構成であっても構わない。
【００１９】
また、実施例では、センタ５０はＩＰ網６０を介して発信先電話機４０の電話番号を発信規制装置２０の入力部２３へ送信する例を説明した。しかし、これに限定されるものでなく、センタ５０は電話網３０を介して発信先電話機４０の電話番号を発信規制装置２０の入力部２３へ送信する構成でも構わない。その場合、発信規制装置２０の通信端子２１は入力部２３を兼ねることになる。
【００２０】
また、実施例では、発信規制装置２０とセンタ５０が別体構成である例を説明した。しかし、これに限定されるものでなく、発信規制装置２０とセンタ５０が一体構成であっても構わない。
【００２１】
また、実施例では、発信規制装置２０には発信元電話機１０が１台接続されている例を説明した。しかし、これに限定されるものでなく、発信規制装置２０には発信元電話機１０が複数台接続されていても構わない。以下に、この複数の場合について説明する。
図２のステップＳ１０２において、発信規制装置２０の制御部２２は、発信先電話機４０の電話番号を読み取る際に、発信元電話機１０の電話番号も併せて読み取る。そして、発信規制装置２０の規制部２４は、読み取った発信先電話機４０の電話番号と、読み取った発信元電話機１０の電話番号に対応付けて記憶されている電話番号との照合を実施する。以降、フローの流れは、既に説明した図２と同じとなる。ただし、ステップＳ１１８において、受信した電話番号を記憶部２４へ記憶させる際に、発信元電話機１０の電話番号に対応付けて記憶させる点が相違する。このように、発信規制装置２０に発信元電話機１０が複数台接続されていても、発信元電話機１０の電話番号ごとに区別して規制することができるため、発信元電話機１０ごとに発信規制装置２０を設ける必要がなく、１台の発信規制装置２０によって複数の発信元電話機１０の規制を管理することができる。
【００２２】
なお、上述した発信元電話機１０の電話番号を発信規制装置２０の記憶部２４へ記憶させる際の対応付けの構成は、各発信元電話機１０の電話番号ごとに規制対象となる発信先電話機４０の電話番号を記憶させる構成である。しかし、これに限定されるものでなく、複数の発信元電話機１０の電話番号を複数グループ化し、そのグループごとに規制対象となる発信先電話機４０の電話番号を記憶させる構成でも構わない。その場合、同一グループに属する発信元電話機１０の電話番号に基づいて規制された全ての発信先電話機４０の電話番号が、同一グループに属する発信元電話機１０からの発信の規制対象となる。これにより、例えば複数の発信元電話機１０（もちろん、発信元電話機１０ごとに割り付けられる電話番号は異なっている）を所有する会社の１つの発信元電話機１０からの発信を規制すれば、その会社の他の発信元電話機１０からの発信を全て規制することができる。
【００２３】
また、実施例では、ユーザは営業マンからの着信を規制する場合、発信先電話機４０からセンタ５０へ発信することで、自身の使用する電話機の電話番号をセンタ５０へ送信する例を説明した。しかし、これに限定されるものでなく、発信元電話機１０と発信先電話機４０の通話成立中に発信元電話機１０からの転送操作によって発信先電話機４０とセンタ５０との間で通信を成立させて発信先電話機４０の電話番号をセンタ５０へ送信する構成でも構わない。その場合、発信先電話機４０からセンタ５０へ発信するユーザの発信操作が省かれるためユーザの利便性を向上させることができる。
【図面の簡単な説明】
【００２４】
【図１】図１は、本発明の発信規制装置２０を適用させた発信規制システムの構成図である。
【図２】図２は、発信規制装置２０の動作を説明するフローチャートである。
【図３】図３は、従来の発信規制装置を適用させた発信規制のシステム構成図である。
【符号の説明】
【００２５】
１０  発信元電話機（第１電話機）
２０  発信規制装置
２３  入力部
２４  記憶部
２５  規制部
４０  発信先電話機（第２電話機）
６０  ＩＰ網（通信回線）
【図１】
2007074513.tif 000003
【図２】
2007074513.tif 000004
【図３】
2007074513.tif 000005